(57)【要約】【課題】コンクリート構造物に固定具を簡単かつ確実に取り付けることができる橋梁の固定具取付構造を提供する。【解決手段】本発明は、橋梁におけるコンクリート構造物に固定具を取り付けるための橋梁の固定具取付構造を対象とする。固定具は、少なくとも２つの接着板３１を備える。コンクリート構造物の２つの被着面に、かぶり厚さよりも浅い接着剤充填凹部２５が形成される。２つの接着板３１が、２つの被着面に対応して配置された状態で、接着板３１および被着面間と、接着剤充填凹部２５内とに接着剤５が充填されることによって、固定具がコンクリート構造物に固定されている。【選択図】図２
2015158106.tif 000002
【特許請求の範囲】
【請求項１】
橋梁におけるコンクリート構造物に固定具を取り付けるための橋梁の固定具取付構造であって、
前記固定具は、前記コンクリート構造物における向きが異なる少なくとも２つの被着面にそれぞれ対応して、少なくとも２つの接着板を備え、
前記コンクリート構造物の２つの被着面に、かぶり厚さよりも浅い接着剤充填凹部が部分的に形成される一方、
前記２つの接着板が、前記２つの被着面に対応して配置された状態で、前記接着板および前記被着面間と、前記接着剤充填凹部内とに接着剤がそれぞれ充填されることによって、前記固定具が前記コンクリート構造物に固定されていることを特徴とする橋梁の固定具取付構造。
【請求項２】
前記接着剤として、エポキシ樹脂またはアクリル樹脂系接着剤が用いられている請求項１に記載の橋梁の固定具取付構造。
【請求項３】
前記接着剤充填凹部の深さが３ｍｍ以上に調整されている請求項１または２に記載の橋梁の固定具取付構造。
【請求項４】
前記接着剤充填凹部の深さが、かぶり厚さよりも５ｍｍ以上浅くなるように調整されている請求項１〜３のいずれか１項に記載の橋梁の固定具取付構造。
【請求項５】
前記接着板の内側面に、接着板側凹部が形成されるとともに、その接着板側凹部内に前記接着剤が充填されている請求項１〜４のいずれか１項に記載の橋梁の固定具取付構造。
【請求項６】
橋桁によって前記コンクリート構造物が構成されるとともに、その橋桁の両側面によって前記二つの被着面が構成され、
前記固定具は、対向配置された前記２つの接着板によって構成される両側接着板と、その両側接着板の下部間を連結する下部連結板とを備え、
前記固定具の両側板および下部連結板が、前記橋桁の両側面および下面にそれぞれ対向するように、前記固定具が前記橋桁の下部に外嵌された状態に配置されている請求項１〜５のいずれか１項に記載の橋梁の固定具取付構造。
【請求項７】
前記橋桁の下面と、前記固定具の下部連結板との間に接着剤が充填されている請求項６に記載の橋梁の固定具取付構造。
【請求項８】
橋梁における上部構造物に第１ブラケットが取り付けられるとともに、下部構造物に第２ブラケットが取り付けられて、前記第１および前記第２ブラケット間が連結部材によって連結された落橋防止構造において、
前記上部構造物および前記下部構造物の少なくともいずれか一方がコンクリート構造物によって構成され、
前記第１および第２ブラケットのうち、前記コンクリート構造物に対応する、少なくともいずれか一方のブラケットは、前記コンクリート構造物における向きが異なる少なくとも２つの被着面にそれぞれ対応して、少なくとも２つの接着板を備え、
前記コンクリート構造物の２つの被着面に、かぶり厚さよりも浅い接着剤充填凹部が形成される一方、
前記２つの接着板が、前記２つの被着面に対応して配置された状態で、前記接着板および前記被着面間と、前記接着剤充填凹部の内部とに接着剤がそれぞれ充填されることによって、前記一方のブラケットが前記コンクリート構造物に固定されていることを特徴とする落橋防止構造。
【請求項９】
前記上部構造物がコンクリート構造物としての橋桁によって構成されている請求項８に記載の落橋防止構造。
【発明の詳細な説明】
【技術分野】
【０００１】
本発明は、橋梁における上下部工のコンクリート構造物にブラケット等の固定具を取り付けるための橋梁の固定具取付構造およびその関連技術に関する。
【背景技術】
【０００２】
橋梁の落橋防止構造、横変位拘束構造、支承拘束構造として、コンクリート製橋桁と橋台、橋脚（下部構造物）とを連結装置によって連結するようにしたものが周知である。この連結装置は、橋桁側および（下部構造物）側に固定具としてのブラケットがそれぞれ固定されるとともに、両ブラケット間がチェーン等の連結部材によって連結されている。
【０００３】
このような落橋防止構造、横変位拘束構造、支承拘束構造において、コンクリート製の橋桁にブラケット等の固定具を取り付けるための固定具取付構造として、例えば特許文献１に示すものが周知である。この固定具取付構造は、コンクリート製橋桁（コンクリート主桁）にその両側面間を貫通するように横孔が穿孔される一方、上向きに開口されたコ字状の固定具が橋桁の下側から外嵌される。そして上記横孔に挿通された棒状部材（ボルト部材）が固定具の両側壁に貫通して固定されるとともに、固定具の内周面と橋桁との間に硬化性充填剤が充填されて、固定具が橋桁に固定されている。
【０００４】
また特許文献２には、コンクリート製橋台、橋脚に対して、補強板等の固定具を取り付けるための固定具取付構造が開示されている。この構造においては、コンクリート製橋台、橋脚にアンカー孔を穿孔する一方、橋台、橋脚表面に配置した固定具にアンカーボルトを貫通させて上記アンカー孔に固定することによって、固定具を橋台、橋脚に固定するようにしている。
【０００５】
しかしながら、特許文献１，２に示すコンクリート構造物の固定具取付構造においては、橋桁や橋台、橋脚等のコンクリート構造物に、横孔やアンカー孔をドリル等で深く穿孔したり、場合によっては被着面を大きくはつったりするものである。このため、穿孔作業やはつり作業に伴って、コンクリート構造物を大きく破損させてしまう。また穿孔作業時には、例えば内部に設けられた鉄筋（鋼材）を損傷させたり、破断させたりするおそれがあるため、その損傷や破損をを防止するために事前に橋桁や橋台、橋脚内の鉄筋位置を確認するための面倒な探査作業も必要となり、施工作業性も低下してしまう。
【０００６】
このような状況下にあって、本件発明者は、特許文献３に示すようにコンクリート製橋桁における固定具（締結装置）の取付構造を提案している。
【０００７】
この固定具取付構造においては、上向きコ字状の固定具を橋桁に下側から外嵌した状態で、橋桁の両側面と固定具の両側壁との間にくさび部材を圧入して、その楔部材によって固定具を押圧しつつ、くさび部材と橋桁との間を接着剤によって接着固定するようにしている。
【０００８】
この固定具の取付構造においては、橋桁に対する穿孔作業やはつり作業等の大規模な工事や事前の鉄筋位置確認作業も不要であり、コンクリート製橋桁にブラケットを簡単かつ確実に固定することができる。
【先行技術文献】
【特許文献】
【０００９】
【特許文献１】特開２０１１−０３８３９２号公報
【特許文献２】特許第３５１３７８４号公報
【特許文献３】特開２０１３−１２７１９７号公報
【発明の概要】
【発明が解決しようとする課題】
【００１０】
従来、橋梁の技術分野においては、上記特許文献１〜３に示すような固定具取付構造が提供される一方、橋梁の構造は、従来より、多種多様に存在し、これからも改良や開発が進められるため、橋梁の技術分野においては、様々な観点から、創意工夫を行って、今以上に優れた橋梁の固定具取付構造の開発が望まれているのが現状である。
【００１１】
この発明は、上記の課題に鑑みてなされたものであり、コンクリート構造物の損傷を少なくできるとともに、コンクリート構造物にブラケット等の固定具を簡単かつ確実に固定することができる橋梁の固定具取付構造およびその関連技術を提供することを目的とする。
【課題を解決するための手段】
【００１２】
上記目的を達成するため、本発明は以下の構成を要旨とする。
【００１３】
なお本明細書および特許請求の範囲において、落橋防止構造という場合、横変位拘束構造、支承拘束構造も含まれる。
【００１４】
［１］橋梁におけるコンクリート構造物に固定具を取り付けるための橋梁の固定具取付構造であって、
前記固定具は、前記コンクリート構造物における向きが異なる少なくとも２つの被着面にそれぞれ対応して、少なくとも２つの接着板を備え、
前記コンクリート構造物の２つの被着面に、かぶり厚さよりも浅い接着剤充填凹部が部分的に形成される一方、
前記２つの接着板が、前記２つの被着面に対応して配置された状態で、前記接着板および前記被着面間と、前記接着剤充填凹部内とに接着剤がそれぞれ充填されることによって、前記固定具が前記コンクリート構造物に固定されていることを特徴とする橋梁の固定具取付構造。
【００１５】
［２］前記接着剤として、エポキシ樹脂またはアクリル樹脂系接着剤が用いられている前項１に記載の橋梁の固定具取付構造。
【００１６】
［３］前記接着剤充填凹部の深さが３ｍｍ以上に調整されている前項１または２に記載の橋梁の固定具取付構造。
【００１７】
［４］前記接着剤充填凹部の深さが、かぶり厚さよりも５ｍｍ以上浅くなるように調整されている前項１〜３のいずれか１項に記載の橋梁の固定具取付構造。
【００１８】
［５］前記接着板の内側面に、接着板側凹部が形成されるとともに、その接着板側凹部内に前記接着剤が充填されている前項１〜４のいずれか１項に記載の橋梁の固定具取付構造。
【００１９】
［６］橋桁によって前記コンクリート構造物が構成されるとともに、その橋桁の両側面によって前記二つの被着面が構成され、
前記固定具は、対向配置された前記２つの接着板によって構成される両側接着板と、その両側接着板の下部間を連結する下部連結板とを備え、
前記固定具の両側板および下部連結板が、前記橋桁の両側面および下面にそれぞれ対向するように、前記固定具が前記橋桁の下部に外嵌された状態に配置されている前項１〜５のいずれか１項に記載の橋梁の固定具取付構造。
【００２０】
［７］前記橋桁の下面と、前記固定具の下部連結板との間に接着剤が充填されている前項６に記載の橋梁の固定具取付構造。
【００２１】
［８］橋梁における上部構造物に第１ブラケットが取り付けられるとともに、下部構造物に第２ブラケットが取り付けられて、前記第１および前記第２ブラケット間が連結部材によって連結された落橋防止構造において、
前記上部構造物および前記下部構造物の少なくともいずれか一方がコンクリート構造物によって構成され、
前記第１および第２ブラケットのうち、前記コンクリート構造物に対応する、少なくともいずれか一方のブラケットは、前記コンクリート構造物における向きが異なる少なくとも２つの被着面にそれぞれ対応して、少なくとも２つの接着板を備え、
前記コンクリート構造物の２つの被着面に、かぶり厚さよりも浅い接着剤充填凹部が形成される一方、
前記２つの接着板が、前記２つの被着面に対応して配置された状態で、前記接着板および前記被着面間と、前記接着剤充填凹部の内部とに接着剤がそれぞれ充填されることによって、前記一方のブラケットが前記コンクリート構造物に固定されていることを特徴とする落橋防止構造。
【００２２】
［９］前記上部構造物がコンクリート構造物としての橋桁によって構成されている前項８に記載の落橋防止構造。
【発明の効果】
【００２３】
発明［１］の橋梁の固定具取付構造によれば、コンクリート構造物の被着面に接着剤充填凹部を形成しておき、接着板および被着面間に充填する接着剤を、接着剤充填凹部内にも充填するようにしているため、固定具のコンクリート構造物への取付強度を十分に確保できて、固定具をコンクリート構造物に簡単かつ確実に固定することができる。さらに接着剤充填凹部の深さをコンクリート構造物のかぶり厚さよりも浅く形成しているため、接着剤充填凹部を形成する際に、鉄筋等のコンクリート強化部材を損傷させてしまうのを防止できて、接着剤充填凹部形成前に、事前にコンクリート構造物内のコンクリート強化部材の位置を確認するための面倒な探査作業を行う必要もなく、施工作業性を向上させることができるとともに、コンクリート構造物自体の損傷も少なくすることができる。
【００２４】
発明［２］［３］の橋梁の固定具取付構造によれば、より確実に固定具をコンクリート構造物に取り付けることができる。
【００２５】
発明［４］の橋梁の固定具取付構造によれば、コンクリート構造物自体の損傷を、より一層少なくすることができる。
【００２６】
発明［５］の橋梁の固定具取付構造によれば、より一層確実に固定具をコンクリート構造物に取り付けることができる。
【００２７】
発明［６］［７］の橋梁の固定具取付構造によれば、橋桁にブラケット等の固定具を、より確実に固定することができる。
【００２８】
発明［８］［９］の落橋防止構造によれば、上記と同様に、ブラケットをコンクリート構造物に簡単かつ確実に固定できるとともに、施工作業性を向上させることができる。
【図面の簡単な説明】
【００２９】
【図１】図１はこの発明の第１実施形態である橋梁における橋桁支持部の下面側を模式化して示す斜視図であある。
【図２】図２は第１実施形態の橋梁における橋桁側のブラケット取付部周辺を示す断面図である。
【図３】図３は図２の接着剤充填孔周辺を拡大して示す断面図である。
【図４】図４は第１実施形態の橋桁側のブラケット取付部周辺を示す側面図である。
【図５】図５は第１実施形態の橋桁側のブラケット取付予定部を示す側面図である。
【図６Ａ】図６Ａはこの発明の第１変形例としての橋桁側のブラケット取付部周辺を示す断面図である。
【図６Ｂ】図６Ｂは図６Ａの接着剤充填孔周辺を拡大して示す断面図である。
【図７Ａ】図７Ａはこの発明の第２変形例としての橋桁側のブラケット取付予定部周辺を示す側面図である。
【図７Ｂ】図７Ｂはこの発明の第３変形例としての橋桁側のブラケット取付予定部周辺を示す側面図である。
【図８Ａ】図８Ａはこの発明の第４変形例としての橋桁における接着剤充填凹部の断面形状を説明するための断面図である。
【図８Ｂ】図８Ｂはこの発明の第５変形例としての橋桁における接着剤充填凹部の断面形状を説明するための断面図である。
【図９Ａ】図９Ａはこの発明の第６変形例である橋桁側のブラケット取付部周辺を示す断面図である。
【図９Ｂ】図９Ｂはこの発明の第６変形例に採用されたブラケットの接続板を示す内側面図である。
【図１０Ａ】図１０Ａはこの発明の第７変形例であるブラケットの接続板を示す内側面図である。
【図１０Ｂ】図１０Ｂはこの発明の第８変形例であるブラケットの接続板を示す内側面図である。
【図１１】図１１はこの発明の第９変形例であるブラケットの接続板を示す内側面図である。
【図１２】図１２はこの発明の第２実施形態である橋梁における橋桁支持部を模式化して示す側面図である。
【図１３】図１３は第２実施形態である橋梁における橋台、橋脚側のブラケット取付部周辺を示す断面図である。
【図１４】図１４はこの発明の第３実施形態である橋梁における橋桁支持部を示す斜視図である。
【図１５】図１５は第３実施形態の橋梁における橋台側のブラケット取付部周辺を示す断面図である。
【発明を実施するための形態】
【００３０】
＜第１実施形態＞
図１はこの発明の第１実施形態である橋梁の橋桁支持部の下面側を模式化して示す斜視図である。同図に示すように、この橋梁は、コンクリート製の橋脚１ａに、コンクリート製の橋桁（コンクリート主桁）２が支持されている。そして橋脚１ａおよび橋桁２には、それぞれブラケット３，４が固定されるとともに、両ブラケット３，４がチェーン、ケーブル、ロープ、バー等の連結部材１０によって連結されている。本実施形態では、ブラケット３，４および連結部材１０によって、耐震補強の一つとしての落橋防止装置（横変位拘束装置、支承拘束装置を含む）が構成されている。
【００３１】
また本実施形態において、上部構造物とは、上部工によって形成される建造物、例えば橋桁等であり、下部構造物とは、下部工によって形成される構造物、例えば橋脚や橋台等である。
【００３２】
なお以下に詳述するように本実施形態においては、橋桁側のブラケット３における橋桁２への取付構造に特徴を有するものである。
【００３３】
図２は第１実施形態における橋桁のブラケット取付部周辺を橋軸方向に直交する平面で切断した断面図、図３は図２の接着剤充填孔周辺を拡大して示す断面図、図４は第１実施形態における橋桁側のブラケット取付部周辺を示す側面図、図５は第１実施形態の橋桁におけるブラケット取付予定部（被着面）をブラケットを取り外した状態で示す側面図である。
【００３４】
図１〜図５に示すように、上部構造物としての橋桁２は、ＲＣ（鉄筋コンクリート）、ＰＣ（プレストレスト・コンクリート）桁等のコンクリート構造物によって構成されている。この橋桁２の内部には、鉄筋（鋼材）２１が埋め込まれている。本実施形態において、橋桁２における最も外側に配置される鉄筋２１と橋桁２の表面との間、つまり橋桁２の表層部における鉄筋２１が配置されていない部分は、かぶり２２として構成されている。
【００３５】
ここで、かぶり厚さＴとは、かぶり２２の厚さであり、橋桁２２における最も外側の鉄筋２１と橋桁２の表面との間の最短寸法である。本実施形態において、このかぶり厚さＴは、橋桁２２の全周にわたってほぼ同じ寸法に設定されている。
【００３６】
橋桁２の両側面（被着面）には、断面円形の複数の接着剤充填孔２５が穿孔されている。これらの接着剤充填孔２５は、縦横に所定の間隔おきに形成されており、縦横に整然と並んで配置されている。
【００３７】
図５に示すように各接着剤充填孔２５の深さＤは、かぶり厚さＴよりも浅く形成されており、構造上、接着剤充填孔２５の穿孔作業時に、ドリル等の削孔工具が鉄筋２１に一切接触しないようになっている。さらに接着剤充填孔２５の深さＤをかぶり厚さＴよりも浅く形成することによって、コンクリート構造物としての橋桁２へのダメージ、損傷等を少なくすることができる。
【００３８】
ここで、本実施形態においては、接着剤充填孔２５の深さＤを、かぶり厚さＴよりに対し５ｍｍ以上浅く、つまり最も外側に配置される鉄筋２１から５ｍｍ以上離間させるように調整するのが好ましい。すなわちこの場合には、鉄筋２１の損傷や、橋桁（コンクリート構造部）１１の損傷を、一層少なくすることができる。
【００３９】
また本実施形態において、接着剤充填孔２５は、ビシャン等によるチッピング（目あらし）工事による凹部とは明確に区別される。具体的には、接着剤充填孔２５は、チッピングのように被着面全域に連続状に浅く形成されるものではなく、部分的に配置され、その形状、寸法を図面に明確に表示できるものである。ここで部分的とは、断続的、間欠的なものを含み、後述するように縦縞状、横縞状、格子状の配列も含まれる。
【００４０】
さらに本実施形態において、接着剤充填孔２５の深さＤを、橋桁１１の表面から３ｍｍ以上、より好ましくは１０ｍｍ以上に調整するのが良い。すなわちこの構成を採用することによって、後述するように接着剤５を接着剤充填孔２５内に十分充填させることができ、良好なアンカー効果を得ることができる。
【００４１】
なお本実施形態においては、接着剤充填孔２５によって接着剤充填凹部が形成されている。
【００４２】
図２〜４に示すように、橋桁２に固定されるブラケット３は、橋桁２の両側に配置される両側部材３０，３０と、橋桁２の下側に配置される下部連結板３９とを備えている。
【００４３】
両側部材３０，３０は、それぞれ断面Ｌ字状に形成されており、橋桁２の両側面に対向して垂直に配置される両側接着板３１，３１と、両側接着板３１，３１の下端から外側に張り出すように水平に配置されるフランジ板３３，３３とを備えている。接着板３１とフランジ板３３とは例えば溶接等によって互いに連結固定されている。
【００４４】
本実施形態において、接着板３１およびフランジ板３３は孔が形成されていない孔無し鋼板によって構成されている。
【００４５】
両側部材３０，３０のフランジ板３３，３３が、下部連結板３９の両端部にボルト止めによって固定されて、ブラケット３が形成されている。このブラケット３においては、両側接着板３１，３１が互いに平行に、かつ対向して配置されるとともに、その両側接着板３１，３１と下部連結板３９の中間部とで上向きコ字状の部分が形成されている。
【００４６】
さらにこのブラケット３における両側接着板３１，３１間の寸法は、橋桁２における両側面間の寸法（巾寸法）よりも少し広く形成されている。
【００４７】
この構成のブラケット３が、そのコ字溝内に橋桁２の下部が収容されるようにして橋桁２の下部に外嵌された状態に配置される。
【００４８】
この状態においては、ブラケット３の両側接着板３１，３１と橋桁２の両側面（被着面）との間に接着剤充填用の隙間が形成されるとともに、ブラケット３の下部連結板３９と橋桁２の下面との間に接着剤充填用の隙間が形成されている。
【００４９】
そして本実施形態においては、橋桁２の外周面とブラケット３の内周面との間の隙間に接着剤５が注入されて充填される。この接着剤５は、ブラケット３の両側接着板３１，３１と橋桁２の両側面との間の隙間、ブラケット３の下部連結板３９と橋桁２の下面との間の隙間に充填され、さらに橋桁２の接着剤充填孔２５の内部にもそれぞれ充填される。
【００５０】
こうして各隙間や孔に充填された接着剤５が硬化することによって、その接着剤５を介してブラケット３が橋桁２に強固に固定される。
【００５１】
ここで本実施形態においては、接着剤５として、エポキシ樹脂またはアクリル樹脂系接着剤が用いられる。この種の接着剤５を使用することによって、ブラケット３および橋桁１１間の隙間や接着剤充填孔２５内に、注入方式によって確実に充填させることができ、ブラケット３を橋桁１１に確実に接着固定することができる。
【００５２】
なお本発明において、ブラケット３の橋桁２への施工手順は限定されるものではないが、例えば以下の手順で施工される。
【００５３】
まず、橋桁２の被着面に接着剤充填孔２５を穿孔した後、ブラケット３を橋桁２に外嵌した状態に配置する。続いて、ブラケット３と橋桁２との隙間に接着剤５を注入して、接着剤５を所要領域に充填する。その後、接着剤５を養生硬化させる。これにより、ブラケット３の施工が完了し、ブラケット３を橋桁２に固定することができる。
【００５４】
ここで、本第１実施形態においては、ブラケット３によって固定具が構成されるとともに、両側接着板３１，３１によって２つの接着板が構成されている。さらに橋桁２の両側面におけるブラケット３が取り付けられる部分が被着面として構成されている。
【００５５】
また橋桁側のブラケット３が第１または第２ブラケットを構成するとともに、橋脚側のブラケット４が第１または第２ブラケットを構成している。
【００５６】
一方図１に示すように、橋脚１ａにおける橋軸方向に対向している面（前面）には、矩形板状のブラケット４が固定されている。
【００５７】
本第１実施形態において、このブラケット４は、従来より周知の工法によって固定されている。例えば橋脚１ａの前面部に、アンカー（ナット部材）が埋設されて、そのアンカーにねじ込まれるボルト１９によって、ブラケット４が固定されている。さらに必要に応じて、ブラケット４と橋脚１ａの前面との間に接着剤が充填される。
【００５８】
なお後述するが、ブラケット等の固定具を橋脚１ａに固定する場合に、本発明に関連した取付構造を採用することも可能である。
【００５９】
以上のように、本実施形態によれば、接着剤５が橋桁２における接着剤充填孔２５にも充填されるため、アンカー効果に加えて、接着剤５の橋桁２の表面に対する接着面積が増大して、ブラケット３の橋桁２に対する取付強度を十分に確保することができ、ブラケット３を橋桁２に強固に固定することができる。
【００６０】
また本第１実施形態においては、接着剤充填孔２５の深さＤを、橋桁２のかぶり厚さＴよりも浅く形成しているため、接着剤充填孔２５を穿孔するに際して、ドリル等の削孔工具が鉄筋２１に接触するのを確実に防止することができる。このため、穿孔時に削孔工具によって鉄筋２１が損傷したり、破断したりするのを確実に防止することができるとともに、穿孔作業前に、事前に橋桁２内の鉄筋位置を確認するための面倒な探査作業を行う必要もなく、施工作業性を向上させることができる。さらにコンクリート構造物としての橋桁１１への損傷も少なくなる。
【００６１】
また本第１実施形態においては、接着板３１を貫通して接着剤充填孔２５内に挿入固定されるアンカーボルト等の金属製のアンカー部材を使用していないため、ブラケット３の付け替え時等においては、ブラケット３を簡単に撤去できるとともに、コンクリート構造物としての橋桁１１の損傷を最小限に抑えることができる。すなわち仮に、接着剤充填孔２５内にアンカーボルトが固定された状態で、ブラケット３を撤去する場合、アンカーボルトが埋め込まれた深さまで橋桁表面のコンクリート層を削り取る必要があり、多大な労力が必要で、撤去工事が非常に困難になってしまう。そればかりか、橋桁表面に深い傷痕が残り、橋桁１１が大きく損傷してしまう。
【００６２】
これに対し、本実施形態においては、アンカーボルトを用いずに接着剤５によって固定されていないため、接着剤５の部分を破断させるだけで簡単に、ブラケット３を橋桁１１から撤去することができる。さらに橋桁１１側は有底の浅い接着剤充填孔２５が残存するだけでほとんど損傷が生じない。しかも、ブラケット撤去後、橋桁１１の接着剤充填孔２５内には接着剤５が残存しているため、接着剤５の充填補強効果によって、橋桁１１の強度が十分に保持される。このようにブラケット３を撤去しても、橋桁１１の損傷が最小限に抑えられるため、新規のブラケット３の再取付工事等も簡単かつ確実に行うことができる。
【００６３】
もっとも本発明においては、金属製補強部材を橋桁１１の接着剤充填孔２５内に挿入配置する構造を排除するものではない。
【００６４】
例えば図６Ａおよび図６Ｂに示すように、このブラケット取付構造においては、ブラケット３における両側接着板３１，３１に、橋桁１１側の接着剤充填孔２５に対応して、ねじ切り孔３４がそれぞれ穿孔されている。さらに金属製補強部材としてのインサートボルト３５が、ブラケット３における両側接着板３１，３１の各ねじ切り孔３４に外側からそれぞれねじ込まれて、各インサートボルト３５の挿入側軸部が各ねじ切り孔３４に貫通して、橋桁２の各接着剤充填孔２５内に挿入配置されている。そして、インサートボルト３５の挿入軸部と、接着剤充填孔２５の内周面との隙間に接着剤５が充填されている。
【００６５】
このブラケット取付構造においては、ブラケット３の両側接着板３１，３１に内側に突出するようにインサートボルト３５が固定されているため、接着剤５が複雑に入り込んだ状態に配置され、ブラケット３の橋桁２に対する取付強度（接着強度）を一層向上させることができる。
【００６６】
なお図６Ａおよび図６Ｂに示すインサートボルト３５は、接着剤充填孔２５の内周面に直接接触しておらず、コンクリート構造物に固定されるアンカーボルトとは相違するものである。
【００６７】
また両側接着板３１，３１にインサートボルト３５等のインサート部材を固定する場合、その固定方法は特に限定されるものではない。例えば棒状のインサート部材（インサートピン）を接着板３１に溶接等によって固定したり、接着板３１にナット部材を溶接等によって固定しておき、そのナット部材にインサートボルトをねじ込んで固定するようにしても良い。
【００６８】
また本発明においては、鋼板製の接着板の内側面の一部を、グラインダー等の切削工具によって切削することにより、非切削部（残存部）を突状のインサート部材として構成するようにしても良い。
【００６９】
また上記実施形態においては、橋桁２に形成される接着剤充填凹部としての接着剤充填孔２５を、個々に点在するように形成しているが、それだけに限られず、本発明においては接着剤充填凹部を連続する溝状に形成するようにしても良い。
【００７０】
例えば図７Ａに示すように、橋桁２の側面におけるブラケット取付予定部（被着面）に横方向に連続する溝状の接着剤充填凹部２６を横縞状に形成したり、あるいは縦方向に連続する溝状の接着剤充填凹部を縦縞状に形成したり、または図７Ｂに示すように、橋桁２の側面におけるブラケット取付予定部（被着面）に縦横に連続する溝状の接着剤充填凹部２６を格子状に形成するようにしても良い。なお図７Ａおよび図７Ｂにおいては、発明の理解を容易にするため、接着剤充填凹部２６に対応する部分にハッチングを施している。
【００７１】
さらに本発明においては、接着剤充填凹部２６の形状も特に限定されるものではなく、例えば図８Ａに示すように接着剤充填凹部２６を断面半円弧状に形成したり、図８Ｂに示すように接着剤充填凹部２６を断面三角形状（山型形状）に形成するようにしても良い。図８Ａおよび図８Ｂは図３の断面図に相当する断面図である。
【００７２】
また本発明においては、接着板３１の接着面積を確保するために、接着板３１の内側面に凹部を形成するようにしても良い。例えば図９Ａおよび図９Ｂに示すように、接着板３１の裏面側をグラインダー等の切削工具によって切削することにより、接着板３１の裏面側（内面側）に、接着板側凹部３６を形成するようにしても良い。
【００７３】
さらにこのように接着板３１の内側面に接着板側凹部３６を形成する場合、図１０Ａに示すように接着板側凹部３６を横方向に連続する横縞状に形成したり、図１０Ｂに示すように接着板側凹部３６を縦方向に連続する縦縞状に形成したり、図１１に示すように接着板側凹部３６を縦横に連続する格子状（マス目状）に形成するようにしても良い。なお図１０および図１１においては、発明の理解を容易にするため、接着板側凹部３６に対応する部分に点状のハッチングを施している。
【００７４】
また本発明においては、接着板３１の裏面側に板材等を凸部形成部材を取り付けることによって、接着板裏面側に凸部を形成して、接着板裏面側の接着面積を増大させるようにしても良い。
【００７５】
また上記実施形態においては、ブラケット３における接着板３１，３１を互いに平行にかつ対向して配置しているが、それだけに限られず、本発明においては、接着板が少なくとも２つ（２枚）設けられていれば良い。例えば図1の想像線に示すように、ブラケット３として断面Ｌ字状に形成し、互いに直角に配置される２枚のフランジ板をそれぞれ接着板３１，３１として構成するようにしていも良い。この場合同図に示すように、一方の接着板３１を橋桁２の下面に配置するとともに、他方の接着板３１を橋桁２の一側面に配置する。なお図示は省略するが、橋桁２における接着板３１，３１が貼り付けられる部分（被着面）には、深さがかぶり厚さよりも浅い接着剤充填孔等の接着剤充填凹部が形成されており、この凹部内にも接着剤が充填されている。
【００７６】
また上記実施形態においては、接着板等の固定具として、鋼板製のものを使用しているが、それだけに限られず、本発明において、接着板の素材は限定されるものではない。例えば本発明においては、接着板として、炭素繊維強化プラスチック（ＣＦＲＰ）、ガラス繊維強化プラスチック（ＧＲＲＰ、ＧＭＴ）等の繊維強化プラスチック（ＦＲＰ）製のもの等を用いることができる。
【００７７】
また本発明においては、コンクリート構造物内に埋設される鉄筋等のコンクリート強化部材としては、コンクリートの強化用に用いられる部材であれば、素材や形状は特に限定されるものではない。
【００７８】
また上記実施形態においては、本発明の固定具取付構造を橋桁２等の上部構造物に適用する場合を例に挙げて説明したが、それだけに限られず、本発明は、以下に説明するように、橋脚や橋台等の下部構造物に適用するようにしても良い。
【００７９】
また上記実施形態や以下の第２実施形態においては、本発明を落橋防止構造や横変位拘束構造等の落橋防止システムに適用した場合を例に挙げて説明しているが、それだけに限られず、例えば後述の第３実施形態のように、本発明は、支承拘束構造にも適用することができる。
【００８０】
＜第２実施形態＞
図１２および図１３はこの発明の第２実施形態である橋梁の橋桁支持部を示す図である。両図に示すように、この第２実施形態の構造においては、下部構造物としての橋脚１ａに対するブラケット４ａの取付構造が、上記第１実施形態の構造と相違している。
【００８１】
この第２実施形態において橋脚１ａに固定されるブラケット４ａは、断面逆Ｌ字状に形成されている。すなわちこのブラケット４ａは、２枚の鋼板製の接着板４１，４２を有し、一方の接着板４１に対し他方の接着板４２が直角に配置されるように、両接着板４１，４２の端部同士が溶接等によって連結固定されている。
【００８２】
またブラケット４ａの各接着板４１，４２は、上記ブラケット３の接着板３１と同様に、孔のない孔無し鋼板によって構成されている。
【００８３】
一方、橋脚１ａにおける上面および前面のブラケット４ａを固定する部分（被着面）には、接着剤充填凹部として接着剤充填孔１５が縦横に所定間隔おきに複数形成されている。この接着剤充填孔１５は、上記第１実施形態と同様、橋脚１ａの表層部におけるかぶりの範囲内に形成されている。
【００８４】
そして接着板４１，４２と橋脚１ａの外面との間の隙間には、接着剤５が充填され、さらにこの接着剤５は接着剤充填孔１５の内部にも充填されて、ブラケット４ａが橋脚１ａに固定されている。
【００８５】
また橋桁２には、上記第１実施形態と同様に、ブラケット３が固定されており、このブラケット３と、橋脚１ａ側のブラケット４ａとがチェーン、ケーブル、ロープ等の索状の連結部材１０によって連結されている。
【００８６】
なお図１２において、符号の「５４」は、橋脚１ａの上面に固定され、かつ橋桁２を支持する沓５４である。
【００８７】
本実施形態においては、橋桁側のブラケット３が第１または第２ブラケットを構成するとともに、橋脚側のブラケット４ａが第１または第２ブラケットを構成している。
【００８８】
この第２実施形態において、他の構成は、上記第１実施形態と同様であるため、同一部分に同一符号を付して重複説明は省略する。
【００８９】
この第２実施形態の落橋防止構造においても、上記第１実施形態と同様、ブラケット４ａの橋脚１ａに対する取付強度を十分に確保することができ、ブラケット４ａを橋脚１ａに強固に固定することができる。
【００９０】
その上さらに、接着剤充填孔１５の深さを、橋脚１ａのかぶり厚さよりも浅く形成しているため、接着剤充填孔１５を穿孔する際に、削孔工具によって鉄筋２１が損傷したり、破断したりするのを確実に防止することができるとともに、穿孔作業前に、事前に橋脚１ａ内の鉄筋位置を確認するための面倒な探査作業も不要となる。さらに橋台１ｂ等のコンクリート構造物へのダメージも少なくなる。
【００９１】
なおこの第２実施形態においても、上記第１実施形態と同様に、橋脚１ａに形成される接着剤充填凹部を連続する溝状に形成したり（図７Ａおよび図７Ｂ等参照）、接続板４１，４２の裏面（内側面）に切削加工等によって接着剤充填凹部を形成するようにしても良い（図９〜図１１等参照）。
【００９２】
またこの第２実施形態においては、ブラケット４ａの接続板４１，４２を橋脚１ａの上面および前面に接着するようにしているが、本発明においては、ブラケットの２枚の接続板を橋脚の上面および側面に接着したり、前面および側面に接着するようにしても良い。
【００９３】
＜第３実施形態＞
図１４および図１５はこの発明の第３実施形態である橋梁の固定具取付構造を示す図である。両図に示すように、この第３実施形態は、本発明を、支承拘束構造または横変位拘束構造に適用した場合を例に挙げたものである。すなわちこの第３実施形態においては、下部構造物である橋台１ｂにブラケット４ｂを固定し、このブラケット４ｂに、既設の沓（支承）５５に加えて、橋桁２の水平方向の支持が可能な新たな沓５６を追加できるようにしたものである。
【００９４】
この第３実施形態において、ブラケット４ｂは、上記第２実施形態のブラケット４ａと同様に、水平に配置される一方の接着板４１と、垂直に配置される他方の接着板４２とを備えているが、一方の接着板４１における他方の接着板４２との連結部が水平方向に延長されて、沓取付部４３が形成されている。
【００９５】
また一方の接着板４１の外面（上面）には、水平方向（前後方向）に連続し、かつ上方に突出する補強板４６が溶接等によって連結固定されている。さらに他方の接着板４２の外面には、上下方向に連続し、かつ前方に突出する板状の補強板４７が溶接等によって連結固定されている。この補強板４７の上端部は沓取付部４３の下面に溶接等によって連結固定されており、沓取付部４３の耐荷重性を十分に確保できるようになっている。
【００９６】
一方、橋台１ｂにおけるブラケット４ｂを固定する面（被着面）には、上記第２実施形態と同様に、接着剤充填凹部として接着剤充填孔１５が複数形成されている。この接着剤充填孔１５は、橋台１ｂの表層部におけるかぶりの範囲内に形成されている。つまり接着剤充填孔１５の深さがかぶり厚さよりも浅く形成されている。
【００９７】
このブラケット４ｂの両接着板４１，４２によって橋台１ｂの接着剤充填孔１５を閉塞するようにして、ブラケット４ｂにおける一方の接着板４１が橋台１ｂの上面（被着面）に対応して配置されるとともに、他方の接着板４２が橋台１ｂの前面（被着面）に対応して配置される。
【００９８】
そして接着板４１，４２および橋台１ｂ間の隙間と、接着剤充填孔１５の内部とに接着剤５が充填されて、ブラケット４ｂが橋台１ｂに固定されている。
【００９９】
こうして橋台１ｂに固定されたブラケット４ｂは、その沓取付部４３が橋台１ｂの上面（橋座面）から前方に突出した状態に配置されている。そしてこの沓取付部４３に新たな沓５６が固定されている。
【０１００】
一方、橋桁２における新たな沓５６に対応する位置には、上記第１実施形態と同様に、または周知の後方によってブラケット３が固定されている。そしてこのブラケット３が上記新たな沓５６に固定されて、沓５６によって橋桁２の水平方向の応力が支持されるようになっている。これにより本実施形態の支承拘束構造が形成されている。
【０１０１】
この第３実施形態の支承拘束構造においても、上記第２実施形態と同様、ブラケット４ｂの橋台１ｂに対する取付強度を十分に確保することができ、ブラケット４ｂを橋台１ｂに強固に固定することができる。
【０１０２】
その上さらに、接着剤充填孔１５の深さを、橋台１ｂのかぶり厚さよりも浅く形成しているため、接着剤充填孔１５を穿孔する際に、削孔工具によって鉄筋２１が損傷したり、破断したりするのを確実に防止することができるとともに、穿孔作業前に、事前に橋台１ｂ内の鉄筋位置を確認するための面倒な探査作業も不要となる。さらに橋台１ｂ等のコンクリート構造物へのダメージも少なくなる。
【０１０３】
なお、この第３実施形態においても、上記第１実施形態と同様に、橋台１ｂに形成される接着剤充填凹部を連続する溝状に形成したり（図７Ａおよび図７Ｂ等参照）、接続板４１，４２の裏面（内側面）に切削加工等によって接着剤充填凹部を形成するようにしても良い（図９〜図１１等参照）。
【０１０４】
またこの第３実施形態においても、ブラケット４ｂと、橋桁２とを、チェーン、ケーブル、ロープ、バー等の連結部材（図１等参照）によって連結することにより、落橋防止構造、横変位拘束構造等の落橋防止システムを形成するようにしても良い。
【産業上の利用可能性】
【０１０５】
この発明の橋梁の固定具取付構造は、橋梁のコンクリート製の橋桁、橋脚、橋台等にブラケット等の固定具を取り付ける際に採用することができる。
【符号の説明】
【０１０６】
１ａ：橋脚（コンクリート構造物）
１ｂ：橋台（コンクリート構造物）
１０：連結部材
１５：接着剤充填孔
２：橋桁（コンクリート構造物）
２２：かぶり
２５：接着剤充填孔（接着剤充填凹部）
２６：接着剤充填凹部
３：ブラケット（固定具）
３１：両側接着板
３６：接着板側凹部
４ａ：ブラケット（固定具）
４ｂ：ブラケット（固定具）
４１，４２：接着板
５：接着剤
Ｄ：接着剤充填孔の深さ
Ｔ：かぶり厚さ
【図１】
2015158106.tif 000003
【図２】
2015158106.tif 000004
【図３】
2015158106.tif 000005
【図４】
2015158106.tif 000006
【図５】
2015158106.tif 000007
【図６Ａ】
2015158106.tif 000008
【図６Ｂ】
2015158106.tif 000009
【図７Ａ】
2015158106.tif 000010
【図７Ｂ】
2015158106.tif 000011
【図８Ａ】
2015158106.tif 000012
【図８Ｂ】
2015158106.tif 000013
【図９Ａ】
2015158106.tif 000014
【図９Ｂ】
2015158106.tif 000015
【図１０Ａ】
2015158106.tif 000016
【図１０Ｂ】
2015158106.tif 000017
【図１１】
2015158106.tif 000018
【図１２】
2015158106.tif 000019
【図１３】
2015158106.tif 000020
【図１４】
2015158106.tif 000021
【図１５】
2015158106.tif 000022